(57)【要約】【課題】  固定強度を低下させることなく、かつ吊りボルトと天井取付孔の芯ずれが生じても簡単に調整することができ、照明装置の変形を生じさせないことが可能な照明装置用芯ずれ調整具、ダウンライト形照明装置及び昇降装置付きダウンライト形照明装置を提供する。【解決手段】  ２本以上の吊りボルト１４、１４で支持される第１の支持部材１１と；天井取付孔３０ａに設置される照明装置２０を支持する第２の支持部材１２と；第１、第２の支持部材に設けられ回動及び水平方向の移動により２本以上の吊りボルト１４、１４と天井取付孔３０ａとの芯ずれを調整する芯ずれ調整部１５と；を具備した照明装置用芯ずれ調整具を構成する。【選択図】        図２
2006228552.tif 000002
【特許請求の範囲】
【請求項１】
２本以上の吊りボルトで支持される第１の支持部材と；
天井取付孔に設置される照明装置を支持する第２の支持部材と；
第１、第２の支持部材に設けられ回動及び水平方向の移動により２本以上の吊りボルトと天井取付孔との芯ずれを調整する芯ずれ調整部と；
を具備することを特徴とする照明装置用芯ずれ調整具。
【請求項２】
前記芯ずれ調整部は、第１、第２の支持部材の少なくとも一方に形成された長孔と、棒状の連結部材とで構成したことを特徴とする請求項１に記載の照明装置用芯ずれ調整具。
【請求項３】
前記芯ずれ調整部は、第１の支持部材に設けられた一方の吊りボルトを取付けるための略円形の支持孔及び他方の吊りボルトを取付けるための略円弧状をなす長孔と、第1の支持部材に一体に設けられた第２の支持部材の複数の照明装置用支持孔で構成したことを特徴とする請求項１に記載の照明装置用芯ずれ調整具。
【請求項４】
請求項１ないし３いずれか一に記載の照明装置用芯ずれ調整具を用いたことを特徴とするダウンライト形照明装置。
【請求項５】
昇降装置を有する器具本体と；
２本以上の吊りボルトで支持される第１の支持部材と；
天井取付孔に設置される器具本体の支持部を有し第１の支持部材と回動可能でかつ水平方向に移動可能な芯ずれ調整部により連結される第２の支持部材と；
昇降装置により器具本体に収納される照明器具と；
を具備することを特徴とする昇降装置付きダウンライト形照明装置。
【請求項６】
昇降装置を有する器具本体と；
２本以上の吊りボルトで支持される第１の支持部材と；
天井取付孔に設置される器具本体を支持する第２の支持部材と；
第１、第２の支持部材の少なくとも一方に形成された長孔と、棒状の連結部材とで構成した芯ずれ調整部と；
昇降装置により器具本体に収納される照明器具と；
を具備することを特徴とする昇降装置付きダウンライト形照明装置。
【発明の詳細な説明】
【技術分野】
【０００１】
本発明は、天井等に設置される吊りボルトと照明装置を設置する天井取付孔の芯ずれを調整する照明装置用芯ずれ調整具、さらに芯ずれ調整具を用いたダウンライト形照明装置及び昇降装置付きダウンライト形照明装置に関する。
【背景技術】
【０００２】
この種のダウンライト形照明装置は、スポット的な照明効果を演出することができると共に、器具自体が天井裏に収納され、天井面の取付孔の周囲を器具の枠でカバーして構成するため、外観、意匠的にも優れており、各種の店舗、オフィス、エントランスホール等、あらゆる場所に設置され一段と普及が進んでいる。
【０００３】
特に近年では、多目的ホール等、吹き抜けのある高天井に設置されることも多く、高天井に設置されるダウンライト形照明装置の場合には、ランプ交換等、メンテナンスの面から昇降装置付きのダウンライト形照明装置が多用されている。
【０００４】
昇降装置付きダウンライト形照明装置は、例えば下記の特許文献１に示されるように、天井板に穿設された天井取付孔に埋め込んで取り付けられる枠状をなす器具本体と、ランプ及び反射鏡で構成され、昇降装置により器具本体から昇降される照明器具とからなり、例えば、高天井への施工においては、器具本体を天井内のスラブに設置された吊りボルトで支持し、器具本体下面の開口枠を天井取付孔に設置する。
【０００５】
次に、昇降装置を駆動しワイヤーロープを繰り出して昇降部を床面まで下降させる。この床面に下降した昇降部に照明器具を取り付け、再度、昇降装置を駆動してワイヤーロープを巻き上げ、照明器具を天井取付孔を介して器具本体内に収納し、高天井にダウンライト形照明装置を設置している。
【０００６】
このような構成及び施工を行って照明装置を天井に設置するため、天井内のスラブへ吊りボルトを設置する位置と、天井板に穿設する天井取付孔の位置がずれ、吊りボルトと天井取付孔の芯ずれが生じた場合、無理に器具本体を吊りボルトに取り付けると枠状の器具本体が変形し、変形した器具本体に無理に照明器具を巻き上げて収納した場合、ランプ交換等メンテナンスの際に、照明器具を昇降装置により下降させようとしても照明器具が変形した器具本体に引っ掛かり、下降させることができなくなる問題が発生する（特許文献１の図１１（Ａ）・（Ｂ）参照）。
【０００７】
これは、昇降装置を有さないダウンライト形照明装置においても、変形した器具本体に、無理に収納された照明器具も変形を起こし、器具に内蔵された反射板の変形による照明性能の低下、ソケット等の変形によるランプの着脱操作がし難くなる等の問題を引き起こす恐れがある。
【０００８】
また、天井面の取付孔の周囲を器具の枠でカバーしている部分に隙間が形成され、見栄えが悪くなる問題も生じる。
【０００９】
これを解決するために、吊りボルトが挿入される器具本体の天板に長孔を形成したものがある（例えば、特許文献１の図１〜図４）。
【００１０】
これは、吊りボルトを長孔に沿って移動または回転させて芯ずれ寸法を吸収し、これにより吊りボルトと天井取付孔の芯ずれを調整し、器具本体を変形させずに設置しようとするものである
【特許文献１】特開平１１−３９９２８号公報
【発明の開示】
【発明が解決しようとする課題】
【００１１】
しかしながら、特許文献１に示されるダウンライト形照明装置は、吊りボルトを長孔に沿って移動し、または回転させて芯ずれ寸法を吸収するために、吊りボルトを1本にして器具本体の長孔に挿入する必要があり、天井内のスラブへの支持部分が1箇所のみとなり、スラブへの固定強度が低下する問題が生じる。
【００１２】
このため、この種のダウンライト形照明装置及び昇降装置付きダウンライト形照明装置においては、スラブへの固定強度を低下させずに、吊りボルトと天井取付孔の芯ずれも簡単に調整できるようにし、如何に照明装置、特に器具本体を変形させないかが重要な課題となっている。
【００１３】
本発明は、上述した問題、課題を解決することを目的とし、固定強度を低下させることなく、かつ吊りボルトと天井取付孔の芯ずれが生じても簡単に調整することができ、照明装置の変形を生じさせないことが可能な照明装置用芯ずれ調整具、ダウンライト形照明装置及び昇降装置付きダウンライト形照明装置を提供しようとするものである。
【課題を解決するための手段】
【００１４】
請求項１に記載の照明装置用芯ずれ調整具の発明は、２本以上の吊りボルトで支持される第１の支持部材と；天井取付孔に設置される照明装置を支持する第２の支持部材と；第１、第２の支持部材に設けられ回動及び水平方向の移動により２本以上の吊りボルトと天井取付孔との芯ずれを調整する芯ずれ調整部と；を具備することを特徴とする。
【００１５】
請求項１の発明によれば、２本以上の吊りボルトで支持され、固定強度を低下させることなく、かつ吊りボルトと天井取付孔の芯ずれが生じても、回動及び水平方向の移動により簡単に調整することができ、照明装置の変形を生じさせないことが可能な照明装置用芯ずれ調整具が構成される。
【００１６】
本発明において、回動及び水平方向の移動による芯ずれ調整部は、棒状の連結部材と、連結部材が連結される長孔で構成し、連結部材を長孔内で３６０度の角度をもって回動する手段により回転方向の芯ずれを調整し、また連結部材を長孔に沿って水平方向に移動する手段により直線方向の芯ずれを調整することを許容する。
【００１７】
また、長孔に代えて複数の丸孔を直線状に並べて配置し、複数の丸孔を一個づつ順次選択して連結部材の連結位置を水平方向に移動させ、この移動により直線方向の芯ずれを調整するようにしてもよい。
【００１８】
回転方向の芯ずれの調整は、吊りボルトを取付けるための略円形の支持孔及びこの支持孔を中心点とする円の軌跡上に形成した略円弧状をなす長孔で構成し、吊りボルトを略円弧状の長孔内で移動させることにより、一定範囲における回転方向の芯ずれを調整するように構成してもよい。
【００１９】
さらに、第１、第２の支持部材は一体に構成することを許容し、第1の支持部材に一体に設けられた第２の支持部材に複数の照明装置用支持孔を形成し、複数の照明装置用支持孔を順次選択して照明装置の取付位置を水平移動することにより、直線方向の芯ずれを調整するようにしてもよい。
【００２０】
複数の照明装置用支持孔は、連続した孔、すなわち1個の長孔で構成して照明装置の支持ボルトを長孔内で水平方向に移動させることにより、直線方向の芯ずれを調整するようにしてもよい。
【００２１】
また、本発明の芯ずれ調整具は、吊りボルトと天井取付孔の芯ずれが生じた場合にのみ、アダプタとして用いるようにしても、さらに照明装置に構成部品として一体に組み込み、芯ずれが生じた場合及び芯ずれが生じていないときにでも用いるようにしてもよい。
【００２２】
請求項２に記載の発明は、請求項１に記載の照明装置用芯ずれ調整具において、前記芯ずれ調整部は、第１、第２の支持部材の少なくとも一方に形成された長孔と、棒状の連結部材とで構成したことを特徴とする。
【００２３】
請求項２の発明によれば、固定強度を低下させることなく、かつ吊りボルトと天井取付孔の芯ずれが生じても、長孔と、棒状の連結部材とで簡単に調整することができ、照明装置の変形を生じさせないことが可能な照明装置用芯ずれ調整具が構成される。
【００２４】
本発明において、棒状の連結部材を第１の支持部材に設け、長孔を第２の支持部材に形成しても、さらには長孔を第１の支持部材に形成し、棒状の連結部材を第２の支持部材に設けて構成することも許容する。
【００２５】
さらに、長孔を第1、第２の支持部材の両方に形成し、棒状の連結部材で連結するように構成してもよく、要は長孔及び棒状の連結部材は、第１、第２の支持部材の少なくとも一方に形成された長孔と、棒状の連結部材とで芯ずれ調整部を構成していればよい。
【００２６】
棒状の連結部材は、回転方向の芯ずれを調整するための手段で、例えば、棒状の横断面が円形または楕円形等、長孔と連結した際に、長孔内で連結部材が３６０度の角度をもって回動することが可能な断面形状全てを許容する。
【００２７】
長孔は、直線方向の芯ずれを調整するための手段で、調整する寸法の範囲は、長孔の長手方向の寸法を適宜選択することにより決定すればよく、その形状、長さは特に限定されるものではなく、設計上の問題として決定された全ての形状、寸法等を有するものが許容される。
【００２８】
請求項３に記載の発明は、請求項１に記載の照明装置用芯ずれ調整具において、前記芯ずれ調整部は、第１の支持部材に設けられた一方の吊りボルトを取付けるための略円形の支持孔及び他方の吊りボルトを取付けるための略円弧状をなす長孔と、第1の支持部材に一体に設けられた第２の支持部材の複数の照明装置用支持孔で構成したことを特徴とする。
【００２９】
請求項３の発明によれば、固定強度を低下させることなく、かつ吊りボルトと天井取付孔の芯ずれが生じても、略円形の支持孔及び略円弧状をなす長孔と複数の照明装置用支持孔で、簡単に調整することができ、照明装置の変形を生じさせないことが可能な照明装置用芯ずれ調整具が構成される。
【００３０】
本発明において、略円形の支持孔及び略円弧状をなす長孔は、回転方向の芯ずれを調整するための手段で、調整する角度の範囲は、長孔の長手方向の寸法を適宜選択することにより決定すればよく、その形状、長さは特に限定されるものではなく、設計上の問題として決定された全ての形状、寸法等を有するものが許容される。
【００３１】
複数の照明装置用支持孔は、直線方向の芯ずれを調整するための手段で、調整する寸法の範囲は、設ける支持孔の数により決定すればよく、その形状、設ける支持孔の個数は特に限定されるものではなく、設計上の問題として決定された全ての形状、寸法個数等を有するものが許容される。
【００３２】
請求項４に記載のダウンライト形照明装置の発明は、請求項１ないし３いずれか一に記載の照明装置用芯ずれ調整具を用いたことを特徴とする。
【００３３】
請求項４の発明によれば、固定強度を低下させることなく、かつ吊りボルトと天井取付孔の芯ずれが生じても、簡単に調整することができ、照明装置の変形を生じさせないことが可能なダウンライト形照明装置が構成される。
【００３４】
ここで、ダウンライト形照明装置は、昇降装置を有さないダウンライト形照明装置及び昇降装置付きのダウンライト形照明装置を許容する。
【００３５】
請求項５に記載の昇降装置付きダウンライト形照明装置の発明は、昇降装置を有する器具本体と；２本以上の吊りボルトで支持される第１の支持部材と；天井取付孔に設置される器具本体の支持部を有し第１の支持部材と回動可能でかつ水平方向に移動可能な芯ずれ調整部により連結される第２の支持部材と；昇降装置により器具本体に収納される照明器具と；を具備することを特徴とする。
【００３６】
請求項５の発明によれば、固定強度を低下させることなく、かつ吊りボルトと天井取付孔の芯ずれが生じても、簡単に調整することができ、照明装置の変形を生じさせないことが可能な昇降装置付きダウンライト形照明装置が構成される。
【００３７】
請求項６に記載の昇降装置付きダウンライト形照明装置の発明は、昇降装置を有する器具本体と；２本以上の吊りボルトで支持される第１の支持部材と；天井取付孔に設置される器具本体を支持する第２の支持部材と；第１、第２の支持部材の少なくとも一方に形成された長孔と、棒状の連結部材とで構成した芯ずれ調整部と；昇降装置により器具本体に収納される照明器具と；を具備することを特徴とする。
【００３８】
請求項６の発明によれば、固定強度を低下させることなく、かつ吊りボルトと天井取付孔の芯ずれが生じても、簡単に調整することができ、照明装置の変形を生じさせないことが可能な昇降装置付きダウンライト形照明装置が構成される。
【発明の効果】
【００３９】
請求項１の発明によれば、２本以上の吊りボルトで支持され固定強度を低下させることなく、かつ吊りボルトと天井取付孔の芯ずれが生じても、回動及び水平方向の移動により簡単に調整することができ、照明装置の変形を生じさせないことが可能な照明装置用芯ずれ調整具を提供することができる。
【００４０】
請求項２の発明によれば、固定強度を低下させることなく、かつ吊りボルトと天井取付孔の芯ずれが生じても、長孔と、棒状の連結部材とで簡単に調整することができ、照明装置の変形を生じさせないことが可能な照明装置用芯ずれ調整具を提供することができる。
【００４１】
請求項３の発明によれば、固定強度を低下させることなく、かつ吊りボルトと天井取付孔の芯ずれが生じても、略円形の支持孔及び略円弧状をなす長孔と複数の照明装置用支持孔で、簡単に調整することができ、照明装置の変形を生じさせないことが可能な照明装置用芯ずれ調整具を提供することができる。
【００４２】
請求項４の発明によれば、固定強度を低下させることなく、かつ吊りボルトと天井取付孔の芯ずれが生じても、簡単に調整することができ、照明装置の変形を生じさせないことが可能なダウンライト形照明装置を提供することができる。
【００４３】
請求項５の発明によれば、固定強度を低下させることなく、かつ吊りボルトと天井取付孔の芯ずれが生じても、簡単に調整することができ、照明装置の変形を生じさせないことが可能な昇降装置付きダウンライト形照明装置を提供することができる。
【００４４】
請求項６の発明によれば、固定強度を低下させることなく、かつ吊りボルトと天井取付孔の芯ずれが生じても、簡単に調整することができ、照明装置の変形を生じさせないことが可能な昇降装置付きダウンライト形照明装置を提供することができる。
【発明を実施するための最良の形態】
【００４５】
以下、本発明の照明装置用芯ずれ調整具、ダウンライト形照明装置及び昇降装置付きダウンライト形照明装置の実施形態につき説明する。
【実施例１】
【００４６】
まず、図１に従い第一の実施形態の照明装置用芯ずれ調整具の構成につき説明する。
【００４７】
１０は照明装置の施工における吊りボルトと天井取付孔との芯ずれを調整するための照明装置用芯ずれ調整具で、本発明の第1の支持部材を構成する第1の支持板１１と、本発明の第２の支持部材を構成する第２の支持板１２と、第１の支持板に設けられ、本発明の棒状の連結部材を構成する連結ボルト１３で構成する。
【００４８】
第１、第２の支持板１１、１２は、鉄、ステンレスやアルミニウム等の金属で略短冊状をなす形状に構成し、第１の支持板１１の両端部に、一対２本の吊りボルト１４、１４が挿入される貫通孔１１ａ、１１ａを形成し、略中央部下面に連結ボルト１３を垂直方向にして、その上端を溶接等の手段で固定する。
【００４９】
一対２本の吊りボルト１４、１４の上端は、天井板を支持する天板下地材やスラブに固定される。
【００５０】
連結ボルト１３は、鉄、ステンレスやアルミニウム等の金属で外面にねじを形成したボルトとして構成する。
【００５１】
第２の支持板１２の両端部下面には、照明装置を支持するための支持ボルト１２ａ、１２ａを垂直方向にして、その上端を溶接等の手段で固定する。
【００５２】
この支持ボルト１２ａ、１２ａも、鉄、ステンレスやアルミニウム等の金属で外面にねじを形成したボルトとして構成する。
【００５３】
さらに、第２の支持板１２の板面には長手方向に貫通する長孔１２ｃを穿設する。
【００５４】
長孔１２ｃの幅寸法と、連結ボルト１３の横断面円形の直径寸法との関係は、長孔内に連結ボルトが挿入された状態で、連結ボルトが３６０度にわたり回動が可能で、さらに垂直方向に対しても移動が可能で、かつ長孔の長手方向に沿って水平方向に移動できる寸法に構成する。
【００５５】
また、連結ボルト１３を長孔１２ｃ内に挿入し、下方に突出した連結ボルトの下端にナット１３ａをねじ込むことにより、第１の支持板１１と第２支持板１２を連結する。
【００５６】
長孔１２ｃ内での連結ボルト１３の回動及び水平方向への移動により、吊りボルト１４、１４と天井取付孔３０ａとの芯ずれを調整する芯ずれ調整部１５を構成する。
【００５７】
図中１１ｂ、１１ｂは、第１の支持板１１を吊りボルト１４、１４に固定するためのナットである。
【００５８】
１２ｂ、１２ｂは、第２の支持板１２の支持ボルト１２ａ、１２ａに、後述する照明装置を支持し固定するためのナットである。
【００５９】
次に、第一実施形態のダウンライト形照明装置の構成を、上述した照明装置用芯ずれ調整具を組み込んだ昇降装置付きダウンライト形照明装置を例に、図２に従い説明する。
【００６０】
２０は昇降装置付きダウンライト形照明装置で、器具本体２１と、器具本体内に収納される照明器具２２で構成する。
【００６１】
器具本体２１は、リング状をなす円板状の天板２１ａと、開口部を有し円形リング状をなす下枠２１ｂと、天板及び下枠をスポット溶接等の手段で連結する一対２本の支柱２１ｃ、２１ｃで、全体として円筒状の枠体をなすように構成する。
【００６２】
これら、器具本体２１を構成する天板２１ａ、下枠２１ｂ、支柱２１ｃ、２１ｃは、鉄、ステンレスやアルミニウム等の金属で構成する。
【００６３】
天板２１ａの周辺部には、直径方向に対向した位置に、上述した照明装置用芯ずれ調整具の第２の支持板１２に取り付けられた支持ボルト１２ａ、１２ａが貫通する支持孔２１ｄ、２１ｄを形成する。
【００６４】
天板２１ａの上面に昇降装置２３を取り付け、昇降装置の下面には昇降部２３ａが出し入れ可能に設けられ、２本のワイヤーロープ２３ｂ、２３ｂの巻き上げ、巻き戻しにより昇降部２３ａが昇降できるようになっている（図６参照）。
【００６５】
下枠２１ｂは、器具本体２１を構成する枠体であると共に、縦断面がＬ字のリング状をなす形状に構成し、天井３０に設置した際に、Ｌ字の下面部分が天井取付孔３０ａの切り口部に合致するように構成し、ギザギザとなって開けられた天井取付孔の開口縁部を覆い隠し、外観、意匠的に見栄えをよくする化粧枠としての機能を果す。
【００６６】
上記のように構成した器具本体２１の天板の支持孔２１ｄ、２１ｄに、第２の支持板１２の支持ボルト１２ａ、１２ａを挿入し、下方からナット１２ｂ、１２ｂをねじ込むことにより、器具本体２１の上部に照明装置用芯ずれ調整具１０を組み込み取り付ける。
【００６７】
芯ずれ調整具１０を取り付けた状態で、器具本体２１を天井取付孔３０ａに下方から挿入し、下枠２１ｂを天井取付孔３０ａの切り口部に合致させて設置する。
【００６８】
この状態で、スラブに支持された一対２本の吊りボルト１４、１４に、第１の支持板１１の貫通孔１１ａ、１１ａを挿通し、下方からナット１１ｂ、１１ｂをねじ込んで吊りボルト１４、１４により器具本体２１を吊った状態で支持する。
【００６９】
この際、吊りボルト１４、１４の芯線ａと天井取付孔３０ａの芯線ｂがずれていた場合、芯ずれ調整部１５を構成する第１の支持板１１の連結ボルト１３を、第２の支持板１２の長孔１２ｃ内で回動または水平方向に、双方の芯線がずれた角度、寸法に対応して移動させ、双方の芯線が傾斜することなく垂直になるように、換言すれば、双方の芯線がずれた寸法分の間隔を有して互いの芯線が垂直方向に位置するように調整する。
【００７０】
これにより、器具本体２１は芯がずれて位置する吊りボルト１４、１４に無理に支持固定されことがなく、円筒状の枠体をなす器具本体２１が変形することがなくなる。
【００７１】
また、器具本体の化粧枠となる下枠２１ｂと、天井面との間に隙間が形成されることが生じない。
【００７２】
照明器具２２は、上記のように天井３０に設置された器具本体２１内に収納されるもので、放物線もしくは楕円形状等をなす反射面を形成した横断面が略円形鉢形状の反射鏡２２ａと、反射鏡内に収納されソケット部２２ｂに取り付けられる高圧放電ランプ等のランプ２２ｃで構成する。
【００７３】
ソケット部２２ｂの上面に円板状の上面板２２ｄを取り付け、上面板２２ｄが、照明装置２０の天井への施工時に昇降装置２３の昇降部２３ａに連結され、昇降部２３ａと共に照明器具全体をワイヤーロープ２３ｂ、２３ｂの巻き上げにより上昇させ、照明器具２２を円筒状の枠体をなす器具本体２１内に収納する。
【００７４】
図示しないが、電源線は昇降装置２３にあらかじめ配線されており、照明器具２２が器具本体２１内に収納されることにより、昇降部２３ａを経由して照明器具２２のソケット部２２ｂが電源線に接続されてランプ２２ｃに電力が供給される。
【００７５】
これにより昇降装置付きダウンライト形照明装置照明装置２０が、その反射鏡２２ａ及びランプ２２ｃを下方に向け、床面を照明するように天井取付孔３０ａに埋め込み設置される。
【００７６】
次に、上記のように構成した昇降装置付きダウンライト形照明装置を天井に設置する施工の手順を図３〜図７に従い説明する。
【００７７】
図３に示すように、あらかじめ天井裏のスラブに吊りボルト１４、１４を所定の間隔寸法をもって設置し吊り下げておく。
【００７８】
さらに、天井３０に照明装置２０を埋め込み設置するための円形の天井取付孔３０ａを穿設する。
【００７９】
天井取付孔３０ａの直径は、器具本体２１の下枠２１ｂのＬ字部分が切り口部に合致する寸法にする。
【００８０】
この種のダウンライト形照明装置を天井３０に埋め込み設置する場合、多くは吊りボルト１４、１４と天井取付孔３０ａに位置がずれて施工されており、ボルト１４、１４の芯線ａと天井取付孔３０ａの芯線ｂが水平方向にｃ寸法ずれている場合を例に、以下施工の手順を説明する。
【００８１】
まず、図３に示すように、床面４０に器具本体２１と照明装置用芯ずれ調整具１０を用意し、芯ずれ調整具１０の第１の支持板１１の連結ボルト１３を、第２の支持板１２の長孔１２ｃに挿入し、下方からナット１３ａをねじ込み、芯ずれ調整具１０を組み立てる。
【００８２】
さらに、組み立てられた芯ずれ調整具１０の支持ボルト１２ａ、１２ａを天板２１ａの支持孔２１ｄ、２１ｄに挿入し、下方からナット１２ｂ、１２ｂをねじ込み、器具本体２１の上部に芯ずれ調整具１０を組み込む。
【００８３】
次に、図４に示すように、芯ずれ調整具１０を上にして器具本体２１を天井取付孔３０ａの下方から挿入し、下枠２１ｂを天井取付孔３０ａの切り口部に合致させる。
【００８４】
器具本体２１を円形の天井取付孔３０ａ内へ設置する際、器具本体の回転方向への設置位置は、特に特定された位置を狙って設置する必要はない。
【００８５】
このため、大きく、かつ重量のある鉄等で構成された重い器具本体２１全体を持ち上げて、吊りボルト１４、１４との位置合わせをしながら設置する必要がなく、狭い天井裏での施工作業が楽になる。
【００８６】
次に、図５に示すように、スラブに支持された一対２本の吊りボルト１４、１４に、第１の支持板１１の貫通孔１１ａ、１１ａを挿通し、下方からナット１１ｂ、１１ｂをねじ込んで吊りボルト１４、１４により器具本体２１を吊った状態で支持する。
【００８７】
この際、吊りボルト１４、１４の芯線ａと天井取付孔３０ａの芯線ｂがｃ寸法分、直線方向にずれているので、第１の支持板１１の連結ボルト１３を、第２の支持板１２の長孔１２ｃ内で水平方向（図中右方向）にｃ寸法分、移動して直線方向の芯ずれを調整する。
【００８８】
また、吊りボルト１４、１４の芯線ａと天井取付孔３０ａの芯線ｂが、回転方向に角度をもってずれていた場合には、第１の支持板１１の連結ボルト１３を、第２の支持板１２の長孔１２ｃ内で、ずれた角度分、回動させて移動し、回転方向の芯ずれを調整する。
【００８９】
この際も、重い器具本体２１全体を持ち上げ、天井取付孔内３０ａで、ずれた角度分回動させる操作が不用となり、狭い天井裏での施工作業がより一層楽になる。
【００９０】
また、吊りボルト１４、１４の芯線ａと天井取付孔３０ａの芯線ｂが、回転方向にある角度をもってずれ、さらに水平方向にもずれていた場合には、第１の支持板１１の連結ボルト１３を、第２の支持板１２の長孔１２ｃ内で、ずれた角度分回動させ、さらに水平方向に移動させて、回転及び直線方向の芯ずれを同時に調整する。
【００９１】
さらに、連結ボルト１３のナット１３ａをねじ込んで垂直方向（図中上下方向）の寸法を縮めて行き、下枠２１ｂを天井取付孔３０ａの切り口部に合致させて係合させる。
【００９２】
この際、天井裏の高さ寸法が、設定値より高い場合、もしくは低い場合には、吊りボルト１４、１４とナット１１ｂ、１１ｂのねじ込み具合、さらには支持ボルト１２ａ、１２ａとナット１２ｂ、１２ｂのねじ込み具合を調整し、所定の高さに合わせる。
【００９３】
これにより、器具本体２１は、芯がずれて位置する吊りボルト１４、１４に対して無理に支持固定されことがなく、円筒状の枠体をなす器具本体２１が、特許文献１の図１１Ａに示されるように変形することがない。
【００９４】
また、器具本体の化粧枠となる下枠２１ｂと、天井面との間に隙間が形成されることが生じない。
【００９５】
次に、図６に示すように、昇降装置２３のワイヤーロープ２３ｂ、２３ｂを巻き戻して繰り出し昇降部２３ａを床面４０に降ろす。
【００９６】
降ろした昇降部２３ａに、あらかじめ床面に用意した照明器具２２の上面板２２ｄをねじで取り付け、照明器具２２と昇降部２３ａを一体化する。
【００９７】
次に、図７に示すように、昇降装置２３のワイヤーロープ２３ｂ、２３ｂを巻き上げ、昇降部２３ａと共に照明器具２２全体を上昇させて、照明器具２２を円筒状の枠体をなす器具本体２１内に収納する。
【００９８】
この際、器具本体２１は上記のように変形していないため、スムーズに器具本体２１内に収納され、特許文献１の図１１Ｂに示されるように、変形した器具本体２１に照明器具２２の反射鏡２２ａ等が嵌り込んで昇降できなくなるようなことがない。
【００９９】
これにより、昇降装置２３にあらかじめ配線された電源線に照明器具２２のソケット部２２ｂが接続され、ランプ２２ｃに電力が供給される状態となり、照明装置２０がその反射鏡２２ａ及びランプ２２ｃを下方に向け、下方床面を照明するようにして施工作業を完了する。
【０１００】
上記のように設置されたダウンライト形照明装置において、ランプ交換や、照明器具の修理、点検を行う場合は、壁面等に配線設置された昇降用スイッチの「下降」ボタンを押し、昇降装置２３を駆動してワイヤーロープ２３ｂ、２３ｂを巻き戻して繰り出し照明器具２２を床面４０に降ろしてランプ交換等を行う。
【０１０１】
下降の際、特許文献１の図１１Ｂに示されるように、器具本体２１に照明器具２２の反射鏡２２ａ等が嵌り込んで昇降できない状態となっていないため、反射鏡２２ａ等が下枠２１ｂに係ったりせずに、スムーズに下降させることができる。
【０１０２】
ランプ交換等が終了したら、昇降用スイッチの「上昇」ボタンを押し、昇降装置２３のワイヤーロープ２３ｂ、２３ｂを巻き上げて照明器具２２を器具本体２１内に収納すればよい。
【０１０３】
本実施形態において、照明装置用芯ずれ調整具１０は、連結ボルト１３を第１の支持板１１に設け、長孔１２ｃを第２の支持板１２に形成したが、長孔を第１の支持板１１に形成し、連結ボルト１３を第２の支持板１２に設けて構成してもよい。
【０１０４】
さらに、図８に示すように、第1の支持板１１に長孔１１ｃを、第２の支持板１２に長孔１２ｃを形成し、棒状の連結ボルト１３を両方の長孔１１ｃ、１２ｃに挿通し、上下からナット１３ｂ、１３ａをねじ込んで連結するように構成してもよく、この構成によれば、長孔の長手方向の寸法、２個分にわたる寸法の芯ずれを調整することができ、さらに便利となる。
【０１０５】
また、第１、第２の支持板１１、１２は短冊状の２枚の板体で構成したが、図９に示すように、器具本体２１の天板２１ａに長孔１２ｃを形成し、天板２１ａが第２の支持板１２を兼ねるように構成し、芯ずれ調整具１０の構造を簡素化し部品点数を削減するようにてもよい。この場合、昇降装置２３は天板２１ａの下面に取り付けるとよい。
【０１０６】
また、長孔に代えて複数の丸孔を直線状に並べて配置し、複数の丸孔を一個づつ順次選択して連結部材１３の連結位置を水平方向に移動させ、この移動により直線方向の芯ずれを調整してもよい。
【０１０７】
施工手順において、芯ずれ調整具１０を照明装置２０に組み込んだ状態で天井３０に設置するようにしたが、吊りボルト１４、１４と天井取付孔３０ａの芯ずれが生じていないときには、芯ずれ調整具１０を使用せずに施工してもよい。
【０１０８】
すなわち、図１０に示すように、吊りボルト１４、１４を直接器具本体２１の天板２１ａに形成された支持孔２１ｄ、２１ｄに挿入し、ナット１１ｂ、１１ｂをねじ込み支持するように施工し、芯ずれが生じていた場合にのみ、芯ずれ調整具１０を用いるようにしてもよい。
【０１０９】
この芯ずれ調整具１０を用いない施工の場合、器具本体２１は、吊りボルト１４、１４との位置合わせをしながら天井取付孔内３０ａに設置する必要がある。
【０１１０】
器具本体２１は、天板２１ａと下枠２１ｂと支柱２１ｃで円筒状の枠体に構成したが、図１１に示すように、天板２１ａと下枠２１ｂの略中間部分に円形リング状の支持板２１ｅを設け、この支持板にも、天板２１ａに形成された支持孔２１ｄ、２１ｄに対応した位置に、貫通する支持孔２１ｆ、２１ｆを形成して構成してもよい。
【０１１１】
これより、中間部分に支持板２１ｅが追加され、円筒状の枠体をなす器具本体２１が補強され頑丈になって変形がし難くなる。
【０１１２】
さらに、吊りボルト１４、１４が、天板２１ａ及び支持板２１ｅの２箇所の支持孔２１ｄ、２１ｆに対し、縦に２本通して支持固定することができ、さらに器具本体２１が補強されて頑丈になり、より一層変形し難くなる。
【０１１３】
また、２箇所の支持孔２１ｄ、２１ｆを通し、頑丈にして支持固定するので、芯ずれが生じていた場合でも器具本体２１を変形させて吊りボルト１４、１４に合わせることができず、無理に吊りボルトを２箇所の支持孔２１ｄ、２１ｆに通すことができなくなり、無理な施工を行わせないようにすることも可能となる。
【０１１４】
また、この種ダウンライト形照明装置としては、インバータ内蔵のものが多くなってソケット部分２２ｅが長くなり、照明装置２０全体が縦に細く長くなって強度が必要な状況となってきているが、上述した中間部分に支持板２２ｅを設けて器具本体２１を補強する構成を採用すれば強度を増すことができる。
【０１１５】
この構成は、吊りボルト１４、１４を、直接支持孔２１ｄ、２１ｆに通すものに限らず、図２に示す照明装置２０においても採用し、中間部分に支持板を設けるように構成し、芯ずれ調整具１０の支持ボルト１２ａ、１２ａを天板２１ａの支持孔２１ｄと、新たに設ける中間支持板の支持孔の２箇所を通すように構成してもよい。
【０１１６】
本実施形態では、芯ずれ調整具を昇降装置付きのダウンライト形照明装置に適用したが、昇降装置を有さない通常のダウンライト形照明装置に適用してもよい。
【０１１７】
昇降装置を有さないダウンライト形照明装置では、手作業で照明器具を持ち上げ、天井に設置された器具本体内に収納することになる。
【０１１８】
この場合も芯ずれが生じて無理に器具本体を設置した場合、上述と同様に器具本体が変形し、この変形した器具本体に照明器具を手作業で無理に押込み設置すると、反射鏡が歪んで照明性能が低下したり、極端な場合にはソケット部分が変形を起こしてランプ装着及び着脱ができなくなってしまう恐れがあるが、本発明の芯ずれ調整具でこれらの問題を解消することができる。
【０１１９】
芯ずれ調整具の第１、第２の支持板１１、１２を金属で構成したが強固な合成樹脂で構成してもよく、同様に器具本体２１を構成する天板２１ａ、下枠２１ｂ、支柱２１ｃ、２１ｃも強固な合成樹脂で構成してもよい。
【０１２０】
本実施形態によれば、吊りボルト１４、１４の芯線ａと天井取付孔３０ａの芯線ｂが直線方向にずれていた場合、第１の支持板１１の連結ボルト１３を、第２の支持板１２の長孔１２ｃ内で水平方向に移動するだけの簡単な操作で直線方向の芯ずれを調整することができる。
【０１２１】
また、ボルト１４、１４の芯線ａと天井取付孔３０ａの芯線ｂが、回転方向にある角度をもってずれていた場合にも、第１の支持板１１の連結ボルト１３を、第２の支持板１２の長孔１２ｃ内で、ずれた角度分回動させるだけの簡単な操作で回転方向の芯ずれを調整することができる。
【０１２２】
さらに、吊りボルト１４、１４の芯線ａと天井取付孔３０ａの芯線ｂが、回転方向にある角度をもってずれ、さらに直線方向にずれていた場合にも、第１の支持板１１の連結ボルト１３を、第２の支持板１２の長孔１２ｃ内で、ずれた角度分回動させ、さらに水平方向に移動させる簡単な操作で、回転及び直線方向の芯ずれを同時に調整することができる。
【０１２３】
これにより器具本体２１は、芯がずれて位置する吊りボルト１４、１４に無理に支持固定されて施工されることがなく、器具本体２１が変形することがない。
【０１２４】
このため、ランプ交換や、照明器具の修理、点検を行う際に、照明器具２２の反射鏡２２ａ等が下枠２１ｂに係ったりせずに、スムーズに下降させることができる。
【０１２５】
また、器具本体の化粧枠となる下枠２１ｂと、天井面との間に隙間が形成されることがなく、ダウンライト形照明装置として見栄えが悪くなることがない。
【０１２６】
さらに、連結ボルト１３のナット１３ａのねじ込み具合により、垂直方向の高さの調整をすることができ、一層便利な芯ずれ調整具を提供することができる。
【０１２７】
さらに、吊りボルト１４、１４とナット１１ｂ、１１ｂのねじ込み具合、さらには支持ボルト１２ａ、１２ａとナット１２ｂ、１２ｂのねじ込み具合を調整しても高さの調整ができ、より一層便利となる。
【０１２８】
芯ずれ調整具１０は、昇降装置２３を有さないダウンライト形照明装置２０に対しても適用することができ、より一層便利となる利点も有する。
【０１２９】
施工において、芯ずれ調整具１０は、芯ずれが生じていた場合にのみ、用いることも可能で、施工上便利な芯ずれ調整具を提供することができる。
【実施例２】
【０１３０】
図１２は、本発明の照明装置用芯ずれ調整具、昇降装置付きダウンライト形照明装置の第二の実施形態を示す斜視図で、第一の実施形態と同一部分には同一符号を付してある。
【０１３１】
本実施形態の照明装置用芯ずれ調整具１０は、本発明の第１、第２の支持部材を構成する第１、第２の支持板１１、１２を一体に構成したもので、特に吊りボルト１４、１４と天井取付孔３０ａに大幅な芯ずれが形成されて施工された場合に用いる芯ずれ調整具である。
【０１３２】
すなわち、第１の支持板１１と第２の支持板１２は、一枚の金属板で一体に構成する。
【０１３３】
第１の支持板１１には、一方の吊りボルト１４を取付けるための略円形の貫通孔１１ｃと、この貫通孔を中心とする円の軌跡上に略円弧状に貫通する長孔１１ｄを形成する。長孔は他方の吊りボルト１４を取付けるための孔である。
【０１３４】
第２の支持板１２には、本発明の照明装置用支持孔を構成する複数、８個の貫通する支持孔１２ｄを形成する。
【０１３５】
この複数の支持孔１２ｄの間隔寸法は、器具本体２１に取付けられる支持ボルト１２ａ、１２ａの間隔と略等しい寸法に形成し、支持孔１２ｄを１個毎にずらして支持ボルト１２ａ、１２ａが支持できるように、換言すれば、複数ある支持孔１２ｄを支持ボルトの間隔ピッチで選択し、支持ボルトの位置、すなわち支持ボルトに支持される照明装置２０の位置が水平方向に変更できるように、孔を直線状に一列に配置して形成する。
【０１３６】
上記に構成された本実施形態の照明装置用芯ずれ調整具１０を用いた施工の手順につき説明する。
【０１３７】
本実施形態の芯ずれ調整具１０は、図１２に示すように吊りボルト１４、１４の芯線ａと、天井取付孔３０ａの芯線ｂとが大幅に、ｄ寸法分ずれていた場合に使用する。  
【０１３８】
まず、器具本体２１を天井取付孔３０ａに設置した状態（第一の実施形態における図５の状態）で、あらかじめ天井裏のスラブに支持された一対２本の吊りボルト１４、１４の内の一方（図中左方）の吊りボルト１４に、第１の支持板１１の貫通孔１１ｃを挿通し、他方（図中右方）の吊りボルト１４に長孔１１ｄを挿通し、下方からナット１１ｂ、１１ｂをねじ込んで、吊りボルト１４、１４に芯ずれ調整具１０を吊った状態で支持しておく。
【０１３９】
次に、２本の支持ボルト１２ａ、１２ａを用意し、第２の支持板１２に形成された複数の支持孔１２ｄから、器具本体の天板２１ａに形成された支持孔２２ｄ、２２ｄの間隔寸法に合致する支持孔を選択する。
【０１４０】
本実施形態の場合は、図中右から３番目の孔と７番目の孔が合致して選択した。
【０１４１】
次に、２本の支持ボルト１２ａ、１２ａを第２の支持板１２の支持孔１２ｄから天板２２ａの支持孔２２ｄに通し、上下からナット１２ｅ、１２ｅとナット１２ｂ、１２ｂをねじ込み第２の支持板１２に器具本体２１を吊った状態で支持し固定する。
【０１４２】
この際、吊りボルト１４、１４の芯線ａと天井取付孔３０ａの芯線ｂが、回転方向にある角度をもってずれていた場合には、第１の支持板１１の円弧状の長孔１１ｄの範囲内で、他方の吊りボルト１４を貫通孔１１を中心点として、ずれた角度分だけ回動させて移動し、回転方向の芯ずれを調整する。
【０１４３】
直線方向の芯ずれは、上記のように天井取付孔３０ａに設置された照明装置２０と支持孔１２ｄ、１２ｄの位置が合うように、複数ある支持孔１２ｄを支持ボルト１２ａ、１２ａの間隔ピッチで選択することにより調整する。
【０１４４】
また、吊りボルト１４、１４の芯線ａと天井取付孔３０ａの芯線ｂが、回転方向にある角度をもってずれ、さらに水平方向にずれていた場合には、円弧状の長孔１１ｄと複数ある支持孔１２ｄの間隔ピッチをで、回転及び直線方向の芯ずれを同時に調整する。
【０１４５】
また、天井裏の高さ寸法が設定値より、高いとか、低い場合には、吊りボルト１４、１４とナット１１ｂ、１１ｂのねじ込み具合、さらには支持ボルト１２ａ、１２ａとナット１２ｂ、１２ｂ、１２ｅ、１２ｅのねじ込み具合を調整し、所定の高さに合わせる。
【０１４６】
これにより、本実施形態のように、吊りボルト１４、１４と天井取付孔３０ａの芯ずれが大幅に生じても、器具本体２１が、ずれて位置する吊りボルト１４、１４確実に支持固定され、円筒状の枠体をなす器具本体２１が変形することがない。
【０１４７】
本実施形態において、複数の照明装置用支持孔は、連続した孔、すなわち1個の長孔で構成して照明装置の支持ボルトを長孔内で水平方向に移動させることにより、直線方向の芯ずれを調整するようにしてもよい。
【０１４８】
本実施形態において、その他の構成、施工手順、作用、作動、変形例、作用効果等は、第一の実施形態と同様である。
【０１４９】
また、この種ダウンライト形照明装置の施工の際、第一、第二の実施形態における照明装置用芯ずれ調整具を、それぞれ用意して芯ずれが生じていない場合は、芯ずれ調整具は用いないで施工するか、もしくは第一の実施形態の芯ずれ調整具を用いて施工し、ある程度の芯ずれ生じていた場合には、第一の実施形態の芯ずれ調整具を用いて施工し、さらに大幅な芯ずれが生じていた場合に第二の実施形態の芯ずれ調整具を用いて施工するとよい。
【０１５０】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１５１】
【図１】本発明の第一の実施形態における照明装置用芯ずれ調整具を示す斜視図。
【図２】本発明の第一の実施形態における照明装置用芯ずれ調整具を組み込んだ昇降装置付きダウンライト形照明装置を天井に設置した状態を示す斜視図。
【図３】本発明の第一の実施形態における昇降装置付きダウンライト形照明装置を天井に設置する施工の手順を示す図で、吊りボルトを設置し、天井取付孔を穿設し、器具本体を床面に用意した状態を示す斜視図。
【図４】同じく施工の手順を示す図で、器具本体を天井取付孔に挿通した状態を示す斜視図。
【図５】同じく施工の手順を示す図で、器具本体を吊りボルト及び天井取付孔に設置した状態を示す斜視図。
【図６】同じく施工の手順を示す図で、器具本体に照明器具を吊り上げる状態を示す斜視図。
【図７】同じく施工の手順を示す図で、照明器具を器具本体内に収納し、昇降装置付きダウンライト形照明装置を天井に設置した状態を示す斜視図。
【図８】本発明の第一の実施形態における照明装置用芯ずれ調整具の変形例を示す斜視図。
【図９】同じく照明装置用芯ずれ調整具の他の変形例を示す斜視図。
【図１０】本発明の第一の実施形態における昇降装置付きダウンライト形照明装置を天井に設置する他の手段を示す斜視図。
【図１１】同じく昇降装置付きダウンライト形照明装置の変形例を示す斜視図。
【図１２】本発明の照明装置用芯ずれ調整具、昇降装置付きダウンライト形照明装置の第二の実施形態を示す斜視図。
【符号の説明】
【０１５２】
１０  照明装置用芯ずれ調整具
１１  第１の支持部材
１２  第２の支持部材
１２ｃ  長孔
１３  連結部材
１４、１４  吊りボルト
１５  芯ずれ調整部
２０  照明装置
２１  器具本体
２２  照明器具
２３  昇降装置
３０  天井
３０ａ  天井取付孔
【図１】
2006228552.tif 000003
【図２】
2006228552.tif 000004
【図３】
2006228552.tif 000005
【図４】
2006228552.tif 000006
【図５】
2006228552.tif 000007
【図６】
2006228552.tif 000008
【図７】
2006228552.tif 000009
【図８】
2006228552.tif 000010
【図９】
2006228552.tif 000011
【図１０】
2006228552.tif 000012
【図１１】
2006228552.tif 000013
【図１２】
2006228552.tif 000014